(57)【要約】 【課題】  炊飯器等の内釜内を樹脂コーティングして保護している面を傷つけず、且つ使い易い樹脂製しゃもじを提供する。【解決手段】  表裏面に適宜小突起による米飯付着防止機能を備えたエンボス加工を施したヘラ部１、及び柄部（柄芯部２及び基端部３）を所定の硬度を備えた硬質樹脂で形成し、前記ヘラ部１を保護用軟質樹脂で形成した周縁部４で段差なく縁取りすると共に、柄芯部２を周縁部４と連続する軟質樹脂で被覆する柄被覆部５を設けてなる。【選択図】図２
0003183374.tif 000002
【実用新案登録請求の範囲】
【請求項１】
ヘラ部及び柄部を所定の硬度を備えた硬質樹脂で形成し、前記ヘラ部を保護用軟質樹脂で形成した周縁部で段差なく縁取りしてなることを特徴とする樹脂製しゃもじ。
【請求項２】
ヘラ部の表裏面に、多数の小突起で構成される米飯付着防止用のエンボス加工を施してなる請求項１記載の樹脂製しゃもじ。
【請求項３】
柄部の一部又は全部を柄芯部とし、前記柄芯部を周縁部に連続して軟質樹脂で被覆した柄被覆部を設けてなる請求項１又は２記載の樹脂製しゃもじ。
【請求項４】
柄部全体の形状が基端側を太く起立可能な形状に形成すると共に、板状基端部を柄芯部と連続する硬質樹脂で形成してなる請求項３記載の樹脂製しゃもじ。
【考案の詳細な説明】
【技術分野】
【０００１】
本考案は、樹脂製しゃもじに関するものである。
【背景技術】
【０００２】
しゃもじは、周知のとおりへラ部と持ち手で構成され、米飯を掬い取って食器や弁当への盛り付けに使用されるもので、ヘラ部に米飯の付着を防止するために突起や筋目を設けた樹脂一体成型のものが知られている（特許文献１：特開２００１−２６９２７４号公報）。
【０００３】
特許文献２（特開２００５−５２５０３号公報）には、アルミニウム等の金属材料でしゃもじ本体を形成し、表面に飯粒の粘着を防止するためにフッ素コーティングを施し、掬い部の周囲に樹脂保護材を周設して、炊飯器の内部に傷をつけないしゃもじが開示されている。
【０００４】
また特許文献３（登録実用新案３１６１１３４号公報）には、握り柄の基端部を太くして起立可能な構造のしゃもじが開示されている。
【先行技術文献】
【特許文献】
【０００５】
【特許文献１】特開２００１−２６９２７４号公報。
【特許文献２】特開２００５−５２５０３号公報。
【特許文献３】登録実用新案３１６１１３４号公報。
【考案の概要】
【考案が解決しようとする課題】
【０００６】
ヘラ部周縁に保護縁を設けている特許文献２記載のしゃもじは、本体を金属で形成しているために、ヘラ部周縁を保護しないと電気炊飯器の内釜等に多用されている樹脂コーティング内面を傷つけてしまうために必然であり、また金属ベースの場合には米飯付着防止として、更に樹脂コーティングが必要になり、製造が煩瑣である。
【０００７】
また特許文献１及び特許文献３に示されている樹脂一体成型の一般的なしゃもじの場合は、相応の強度の確保と、ヘラ部にエンボス加工のような付着防止形状を形成するために、ある程度の硬度が必要であるが、前記の金属製しゃもじに比較して炊飯器等を傷付ける可能性が低いので、保護縁を備えていない。しかし樹脂製しゃもじでも、樹脂コーティング面に強く擦りつけ、当該面を傷つけてしまう虞がある。
【０００８】
樹脂コーティング面を傷つけないようにと、樹脂製しゃもじの材質として、柔らかい材質を採用すると、しゃもじとしての強度確保の機能低下が生し、特許文献３記載のような起立するしゃもじとすることが容易ではない。
【０００９】
そこで本考案は、新規な樹脂製しゃもじを提案したものである。
【課題を解決するための手段】
【００１０】
本考案（請求項１）に係る樹脂製しゃもじは、ヘラ部及び柄部を所定の硬度を備えた硬質樹脂で形成し、前記ヘラ部を保護用軟質樹脂で形成した周縁部で段差なく縁取りしてなることを特徴とするものである。
【００１１】
従って前記の樹脂製しゃもじは、通常とおり使用することができると共に、周縁部が軟質樹脂であるために、樹脂コーティングした炊飯器の内釜等の表面を傷つけることが無い。
【００１２】
また本考案（請求項２）に係る樹脂製しゃもじは、更にヘラ部の表裏面に多数の小突起で構成される米飯付着防止用のエンボス加工を施してなるもので、通常とおりの米飯付着防止機能を備えることができる。
【００１３】
また本考案（請求項３）に係る樹脂製しゃもじは、柄部の一部又は全部を柄芯部とし、前記柄芯部を周縁部に連続して軟質樹脂で被覆した柄被覆部を設けてなるもので、使用時の把持に際して、手に対する当たりが柔らくなり、且つヘラ部と軟質樹脂の色彩を異ならせると、ツートンカラーで構成される意匠的効果が高められる。
【００１４】
更に本考案（請求項４）に係る樹脂製しゃもじは、柄部全体の形状が基端側を太く起立可能な形状に形成すると共に、板状基端部を柄芯部と連続する硬質樹脂で形成してなるもので、板状基端部が硬質樹脂で形成されているので、しっかりと起立することができるものである。
【考案の効果】
【００１５】
本考案に係る構成は上記のとおりで、成型加工容易な樹脂製しゃもじにおいて、硬軟二質の樹脂を使用することで、炊飯器の内釜等の樹脂コーティングに傷付けることなく、またヘラ部全体がふちどりされる特異な形態となり意匠的効果も高められるものである。
【図面の簡単な説明】
【００１６】
【図１】本考案の実施形態の第一実施例の全体斜視図。
【図２】同一部切断した平面図。
【図３】同縦断面図。
【図４】同第一実施例の全体斜視図。
【考案を実施するための形態】
【００１７】
次に本考案の実施形態について説明する。図１乃至図３は、本考案の第一実施例で、起立可能とした樹脂製しゃもじを示したものである。
【００１８】
前記樹脂製しゃもじは、同質の樹脂で硬度が相違する樹脂（例えば硬質ポリプロピレンと軟質ポリプロピレン）を使用するもので、硬質樹脂では、通常のしゃもじと同様にヘラ部１を形成すると共に、柄芯部２と基端部３が形成される。
【００１９】
ヘラ部１の表裏面には、細かな小突起１１を多数突設したエンボス加工を施し、米飯付着防止機能を付与しているものである。柄芯部２は、基端側を太くした形状、端部に鍔様に周囲に突設して板状とした基端部３を連設したものである。
【００２０】
軟質樹脂は、周縁部４及び柄被覆部５を形成するもので、周縁部４は、前記へラ部１の外周に、ヘラ部１の表裏面と段差無く縁取り状態で設けたもので、硬質樹脂と同質材を採用している場合は、図示した通りの特別な連結構造を採用する必要が無いが、第二実施例に示したような離脱防止構造を採用しても良い。
【００２１】
柄被覆部５は、周縁部４と連続して柄芯部２を軟質樹脂で被覆するもので、その基端部分は、基端部３の外周面と面一としてなるものである。
【００２２】
而して前記の樹脂製しゃもじは、硬質樹脂でヘラ部１及び柄の中心部分を形成することになるので、十分な強度を備えると共に、周縁部４が軟質樹脂であるために、樹脂コーティングした炊飯器の内釜等の表面を傷つけることが無く、柄の表面（柄被覆部５）が軟質樹脂であるため、使用時の手当りが良く、且つ起立維持でき衛生的である。
【００２３】
更に硬軟樹脂を異色に形成することで、ヘラ部１と基端部３が同一色で、ヘラ部１の縁取り（周縁部４）と柄外周面（柄被覆部５）が同色となるツートンカラーとなり、意匠的にも優れたものとなる。
【００２４】
図４は第二実施例を示すもので、ヘラ部１ａ、柄芯部２ａが硬質樹脂で、周縁部４ａ及び柄被覆部５ａが軟質樹脂で形成したもので、同一材質の樹脂でも異質樹脂（例えば適宜な硬質樹脂とエストラマー樹脂）の組合せでも良く、特に硬軟樹脂に接着性の問題がある場合には、ヘラ部１ａの外周に薄厚の突条１２を周設し、周縁部４ａが前記突条１２を表裏から覆うように設けると周縁部４ａが離脱しない。
【００２５】
また本考案は、第二実施例のように起立機能を備えずに、柄芯部２ａの尾端も含めた全体を柄被覆部５ａで覆うようにしても良い。
【符号の説明】
【００２６】
１，１ａ    ヘラ部
１１        小突起
１２        突条
２，２ａ    柄芯部
３          基端部
４，４ａ    周縁部
５，５ａ    柄被覆部
【図１】
0003183374.tif 000003
【図２】
0003183374.tif 000004
【図３】
0003183374.tif 000005
【図４】
0003183374.tif 000006